(57)【要約】【課題】  簡易な構造によって適宜可動フロアの移動を停止させることができるブレーキ機構を備えた床収納庫を提供する。【解決手段】  建物の床下に形成された収納空間１と、床上に移動自在に設けられ収納空間の開口部１ａを開閉する可動フロア２とを備え、可動フロア２に、移動方向に向けて延在するレール６を複数列設け、開口部近傍の床面９にレールが載置される車輪８を複数設けるとともに、可動フロアと床との間に車輪の回転を阻止するブレーキ機構１１を設けてなり、ブレーキ機構１１は、床に回動自在に設けられて可動フロアの外方から操作可能な操作杆１２と、この操作杆に連結されてその回動を可動フロアの移動方向への直線運動に変換するリンク部材１３と、このリンク部材に連結されて車輪と可動フロアとの間に挿脱自在に設けられたくさび部材１４とを備えてなる。【選択図】  図１
2006002340.tif 000002
【特許請求の範囲】
【請求項１】
建物の床下に形成された収納空間と、上記床上に移動自在に設けられ上記収納空間の開口部を開閉する可動フロアとを備えた床収納庫であって、
上記可動フロアに、上記移動方向に向けて延在するレールを当該移動方向と直交する方向に複数列設け、上記開口部近傍の床面に、上記レールが載置される車輪を設けるとともに、上記可動フロアと上記床との間に、上記車輪の回転を阻止するブレーキ機構を設けてなり、
かつ上記ブレーキ機構は、上記床に移動自在または回動自在に設けられて上記可動フロアの外方から操作可能な操作杆と、この操作杆に一端部が連結されて当該操作杆の上記移動または回動を上記可動フロアの移動方向への直線運動に変換するリンク部材と、このリンク部材の他端部に連結されて上記車輪と上記可動フロアとの間に挿脱自在に設けられたくさび部材とを備えてなり、上記操作杆を移動または回動させて上記くさび部材を上記可動フロアと上記車輪との間に挿入することにより当該車輪の回転を阻止するようにしたことを特徴とする床収納庫。
【請求項２】
上記可動フロアには、上記レールの下方に、上記車輪との間に隙間を形成して上記レールと対向する補助レールが設けられ、上記くさび部材は、上記車輪と上記補助レールとの間に挿脱自在に設けられていることを特徴とする請求項１に記載の床収納庫。
【請求項３】
上記リンク部材は、相対変位自在に設けられた第１のリンク杆と第２のリンク杆とを有し、これら第１および第２のリンク杆の間に、上記第２のリンク杆を、上記くさび部材を上記可動フロアと上記車輪との間に挿入する方向に付勢する付勢部材を介装したことを特徴とする請求項１または２に記載の床収納庫用可動フロア。
【発明の詳細な説明】
【技術分野】
【０００１】
本発明は、住宅等の床下に形成された収納空間と、当該収納空間の開口部を開閉する可動フロアとを備えた床収納庫に関するものである。
【背景技術】
【０００２】
戸建て住宅や集合住宅等の各種建物において、１階部分の床下空間の少なくとも一部分の有効利用を図る構造の一種として、当該床下空間を物品類の収納庫とする床収納庫が知られている。この床収納庫は、１階の床に、床下空間に連通する開口部を形成し、この開口部上に可動フロアを移動自在に設けることにより、居住空間から上記床下空間へのアクセスを可能としたものである。
【０００３】
例えば、下記特許文献１には、本発明者等が先に開発した従来の床収納庫が開示されている。
この床収納庫は、建物の床下に形成された収納空間と、床に形成されて上記収納空間に連通する開口部と、この開口部上に移動自在に設けられ、開口部を開閉する可動フロアとを備えた床収納庫であって、開き方向における可動フロア下部の先端部両側に、開口部の両側方の床上を走行する第１の車輪を設け、この第１の車輪よりも後方に位置する開口部の両側方の床にレールを敷設するとともに、上記可動フロア下部に上記レール上を係合状態で走行する２以上の第２の車輪を設けたものである。
【特許文献１】特開２００２−３６４１６７公報
【発明の開示】
【発明が解決しようとする課題】
【０００４】
ところで、一般にこの種の床収納庫においては、収納空間の開口部を開閉するために、可動フロアが床上を移動することになる。このため、当該可動フロアが周囲の壁等に衝突したり、あるいは可動フロアと周囲の壁等との間に人が挟まれたりしないように、所定位置にストッパ等を設けている。
【０００５】
そして、上記可動フロアが比較的小型である場合には、このような対策のみで充分であるものの、これが畳数畳ほどの大きなものになった場合には、重量が嵩んで移動時における運動量が大きなものになるため、速度を制限したり、あるいは簡易に移動を停止させるたりするためのブレーキ機構を設けることが好ましい。
【０００６】
しかしながら、このような可動フロアに設けられている走行手段は、通常キャスター等の小さな車輪であるうえに、可動フロア自体が簡易な構造であることが要請されるために、実際上、当該ブレーキ機構を設けることが難しいという問題がある。
【０００７】
本発明は、かかる事情に鑑みてなされたもので、簡易な構造によって適宜可動フロアの移動を停止させることができるブレーキ機構を備えた床収納庫を提供することを課題とするものである。
【課題を解決するための手段】
【０００８】
上記課題を解決するために、請求項１に記載の発明は、建物の床下に形成された収納空間と、上記床上に移動自在に設けられ上記収納空間の開口部を開閉する可動フロアとを備えた床収納庫であって、上記可動フロアに、上記移動方向に向けて延在するレールを当該移動方向と直交する方向に複数列設け、上記開口部近傍の床面に、上記レールが載置される車輪を設けるとともに、上記可動フロアと上記床との間に、上記車輪の回転を阻止するブレーキ機構を設けてなり、かつ上記ブレーキ機構は、上記床に移動自在または回動自在に設けられて上記可動フロアの外方から操作可能な操作杆と、この操作杆に一端部が連結されて当該操作杆の上記移動または回動を上記可動フロアの移動方向への直線運動に変換するリンク部材と、このリンク部材の他端部に連結されて上記車輪と上記可動フロアとの間に挿脱自在に設けられたくさび部材とを備えてなり、上記操作杆を移動または回動させて上記くさび部材を上記可動フロアと上記車輪との間に挿入することにより当該車輪の回転を阻止するようにしたことを特徴とするものである。
【０００９】
また、請求項２に記載の発明は、請求項１に記載の可動フロアの上記レールの下方に、上記車輪との間に隙間を形成して上記レールと対向する補助レールが設けられ、上記くさび部材は、上記車輪と上記補助レールとの間に挿脱自在に設けられていることを特徴とするものである。
【００１０】
さらに、請求項３に記載の発明は、請求項１または２に記載のリンク部材が、相対変位自在に設けられた第１のリンク杆と第２のリンク杆とを有し、これら第１および第２のリンク杆の間に、上記第２のリンク杆を、上記くさび部材を上記可動フロアと上記車輪との間に挿入する方向に付勢する付勢部材を介装したことを特徴とするものである。
【発明の効果】
【００１１】
請求項１〜３のいずれかに記載の発明によれば、車輪が設けられた床に、操作杆とリンク部材とくさび部材とからなり、上記操作杆を移動または回動させて上記くさび部材を可動フロアのレールと上記車輪との間に挿入することにより当該車輪の回転を阻止する、簡易な構造のブレーキ機構を設けているので、可動フロアの外方から上記操作杆の移動または回動操作を行うのみで、容易に可動フロアの移動を停止させることができる。
したがって、上記可動フロアが大型化した場合においても、その操作性と安全性を向上させることができる。
【００１２】
ここで、上記くさび部材を利用して可動フロアを停止させる際に、くさび部材が上記可動フロアのいずれかの部材と上記車輪との間に挿入されれば、上記車輪の回転を阻止することができるため、例えば可動フロアの重量が大きい場合には、当該可動フロアのレールと上記車輪との間でもよい。
【００１３】
しかしながら、上記可動フロアの重量が小さい場合には、上記くさび部材を車輪とレールとの間に挿入すると、可動フロア自体がくさび部材上に乗り上げてしまう虞がある。
この点、請求項２に記載の発明によれば、くさび部材を車輪の下方に位置する補助レールと当該車輪との間の隙間に挿入することにより、車輪がくさび部材とレールとによって強固に挟持されるために、小さな力によって、確実かつ瞬時に可動フロアの移動を停止させることができる。
【００１４】
さらに、くさび部材を車輪と可動フロアとの間に挿入して車輪の回転を阻止する場合に、操作杆の操作力をリンク部材を介して直接くさび部材に伝達させると、強い力で上記操作杆を操作した場合に、くさび部材が上記車輪と可動フロアとの間に強固に嵌り込んでしまう。この結果、再度可動フロアを走行させる際に、上記くさび部材を車輪と可動フロアとの間から引き抜くために、大きな力を要して操作性の低下を招くことになる。
【００１５】
この点、請求項３に記載の発明によれば、リンク部材の構成要素である第１および第２のリンク杆の間に、いわゆるあそびを設けるとともに、これらの間に、緩衝材となる付勢部材を設けているので、強い力で操作杆を操作した場合においても、くさび部材からの反力を上記付勢部材が受けるために、当該くさび部材が上記車輪と可動フロアとの間に過度に嵌り込む虞がない。
【発明を実施するための最良の形態】
【００１６】
図１〜図４は、本発明の床収納庫の一実施形態を示すもので、図中符号１が住宅等の１階部分の床下に形成された収納空間であり、符号２が収納空間１の開口部１ａを開閉する可動フロアである。
ちなみに、本実施形態においては、開口部１ａがほぼ半坪の大きさに形成され、可動フロア２がほぼ１坪の方形に形成されている。この可動フロア２は、４枚の帯板が筒状に組まれた枠体３の上面に、天板４が取り付けられることにより構成されている。なお、図中符号５は、枠体３の高さ方向の中央部において、その対角方向に張設された補強用のステンレス製帯板である。
【００１７】
この枠体３の上記移動方向に沿う一対の内壁には、高さ方向の中央部において内方に突出するレール６が設けられるとともに、さらに最下部において同様に内方に突出してレール６と対向する補助レール７がレール６と並行に設けられている。ちなみに、これらレール６、７の対向面の間隔は、レール６を後述する床側の車輪８上に載置した際に、当該車輪８の下部と補助レール７との間にくさび部材が挿脱可能となるように、車輪８の直径よりも幾分大きい寸法に設定されている。
【００１８】
他方、開口部１ａに近接する床面９には、開口部１ａの短辺の略延長線上に沿って、上記レール６が載置されるキャスター等の車輪８が回転自在に設けられている。ここで、車輪８は、可動フロア２の移動方向に向けて、当該可動フロア２の長さ方向の約１／２の長さ間隔を隔てた２箇所に配置され、その取付部８ａがビス１０によって床面９に固定されている。
【００１９】
また、車輪８の取付部８ａの側面には、枠体３の内壁に沿う振れ止めローラ２５が、可動フロア２の移動方向に回転自在に取り付けられている。そして、床面９と可動フロア２との間に、車輪８の回転を阻止するブレーキ機構１１が設けられている。
このブレーキ機構１１は、操作用の操作杆１２と、この操作杆に一端部が連結されたリンク部材１３と、このリンク部材１３の他端部に連結されたくさび部材１４とから概略構成されている。
【００２０】
上記操作杆１２は、開口部１ａ側の車輪８の近傍に、可動フロア２の移動方向と直交する方向に配設され、軸受兼用の取付部材１５によって回動自在に設けられた回動軸１６と、この回動軸１６の可動フロア２から突出する両端部にそれぞれ一体に屈曲形成された操作レバー１６ａとから構成されたもので、上記回動軸１６に、リンク部材１３が連結されている。
【００２１】
このリンク部材１３は、回動軸１６と直交する方向に配置された第１のリンク杆１７と、この第１のリンク杆１７と略直交する方向に配設され、中心部が床面９に固定された取付台１８の軸１８ａに挿通されることにより、当該軸１８ａ回りに回動自在に設けられた第２のリンク杆１９とを備えている。そして、第１のリンク杆１７の一端部１７ａが、回動軸１６に連結されている。
【００２２】
すなわち、図３および図４に詳細を示すように、回動軸１６の外周には、これから径方向に突出するボルト２０の一端部が螺合・固定され、このボルト２０の他端部に一体的に形成されたリング２０ａに、ボルト２１がボルト２０と直交する方向に、かつその軸芯回りに回転自在に挿入されている。そして、このボルト２１の他端部に一体的に形成されたリング２１ａに、上記第１のリンク杆１７の一端部１７ａが連結されている。
【００２３】
他方、第１のリンク杆１７の他端部１７ｂは、第２のリンク杆１９の一端部に設けられた円筒部１９ａ内に相対移動自在に挿入されている。そして、第１のリンク杆１７の端部と円筒部１９ａとの間には、スプリング（付勢部材）２２が介装されている。なお、図中符号１７ｃは、第１のリンク杆１７に螺合されて円筒部１９ａを押圧するためのナットである。
そして、第２のリンク杆１９の他端部に、くさび部材１４の基端部がピン２３によって取り付けられている。
【００２４】
このくさび部材１４は、先端部に向けて漸次板厚が薄くなるテーパ状に形成されており、補助レール７上に車輪に８との間に向けて進退自在に設けられている。これにより、図４（目視の便宜上、天板４および車輪８の上方に位置するレール６を切り欠いて示す。）に示すように、操作杆１２を図中矢印で示すように回動させ、これをボルト２０、２１によってリンク部材１３の第１のリンク杆１７の直線運動に変換して、さらに第２のリンク杆１９を軸１８回りに回動させることにより、くさび部材１４が補助レール７と車輪８との間に挿入され、あるいは補助レール７と車輪８との間から抜き出されるようになっている。
【００２５】
以上の構成からなる床収納庫においては、可動フロア２が、そのレール６を介して床面９上に取り付けられた車輪８上に移動自在に設けられているため、当該可動フロア２を手動で移動させることにより、収納空間１の開口部１ａを開閉することができる。
この際に、可動フロア２の移動を停止させたい場合には、図４に示すように、当該可動フロア２の側部に突出する操作杆１２の操作レバー１６ａを回動させる。
【００２６】
すると、回動軸１６と一体にボルト２０が図中点線で示す位置まで回動し、ボルト２１を介してリンク部材１３の第１のリンク杆１７の一端部１７ａも、図中点線で示す位置まで直線的に移動する。これにより、スプリング２２が圧縮され、その付勢力によって第２のリンク杆１９が軸１８ａ回りに回動することにより、くさび部材１４が図中点線で示すように、車輪８の下部と補助レール７との間に挿入されて車輪８が停止する。
【００２７】
この際に、車輪８は、くさび部材１４とレール６とによって強固に挟持されるために、小さな力によって、確実かつ瞬時に可動フロア２の移動を停止させることができる。加えて、リンク部材１３を構成する第１のリンク杆１７の他端部１７ｂと第２のリンク杆１９の間に、いわゆるあそびを設けるとともに、これらの間に、緩衝材となるスプリング２２を設けているので、強い力で操作杆１２の操作レバー１６ａを操作した場合においても、くさび部材１４からの反力をスプリング２２が受けるために、くさび部材１４が車輪８と可動フロア２の補助レール７との間に過度に嵌り込む虞がない。
【００２８】
また、再び可動フロア２を移動させる際には、操作レバー１６ａを逆方向に回動する。すると、回動軸１６に固定されたボルト２０、２１が、図４に点線で示す位置から実線で示す位置まで回動し、これにより第１のリンク杆１７が直線移動して、そのナット１７ｃが円筒部１９ａを押圧する。
【００２９】
この結果、第２のリンク杆１９が軸１８ａ回りに回動し、くさび部材１４が図中実線で示すように車輪８と補助レール７との間から抜き出されて、可動フロア２の移動が可能になる。さらに、この床収納庫においては、車輪８に隣接して、枠体３の内壁に沿う振れ止めローラ２５を設けているので、可動フロア２の走行時に揺動することがない。
【００３０】
このように、上記床収納庫によれば、車輪８が設けられた床に、操作杆１２とリンク部材１３とくさび部材１４とからなり、操作杆１２を回動させてくさび部材１４を可動フロア２の補助レール７と車輪８との間に挿入することにより車輪８の回転を阻止する、簡易な構造のブレーキ機構１１を設けているので、可動フロア２の外方から操作杆１２の回動操作を行うのみで、容易に可動フロア２の移動を停止させることができる。したがって、可動フロア２が大型化した場合においても、その操作性と安全性を向上させることができる。
【００３１】
加えて、レール６、補助レール７、車輪８、ブレーキ機構１１、操作杆１２の回動軸１６、リンク部材１３、くさび部材１４等の構成部材が、可動フロア２内または当該可動フロア２によって覆われた床面９上に設けられて、外部に露出していないために、外観に優れるとともに、汚れ等に起因する保守の手間が少ないという利点がある。
【００３２】
なお、上記実施の形態においては、可動フロア２の一対の内壁にレール６を設け、これを床上に設けた車輪８上に載置することにより可動フロア２を移動自在に設けたが、これに加えて、例えば可動フロア２の移動方向後方側の枠体３に、床上を走行するキャスター等の車輪を設ければ一層安定的な走行を行わせることができて好適である。
【００３３】
また、この床収納庫においては、車輪８に隣接して、枠体３の内壁に沿う振れ止めローラ２５を設けることにより、可動フロア２の走行時の揺動を防止するようにしているが、これに限らず、例えば可動フロア２の下部中央に、上記レール６と並行に振れ止め用レールを設け、他方床面９上に、当該振れ止め用レールを両側から挟む一対の振れ止めローラを、走行方向の少なくとも２箇所に設ければ、一層確実に可動フロア２の揺動を防止することができる。
【図面の簡単な説明】
【００３４】
【図１】本発明の床収納庫の一実施形態を示す平面図であって、図２のＩ−Ｉ線視した平面図である。
【図２】上記一実施形態を示す縦断面図である。
【図３】図１のブレーキ機構周辺部の拡大図である。
【図４】図１のブレーキ機構周辺部を示す一部省略した斜視図である。
【符号の説明】
【００３５】
１  収納空間
１ａ  開口部
２  可動フロア
３  枠体
６  レール
７  補助レール
８  車輪
９  床面
１１  ブレーキ機構
１２  操作杆
１３  リンク部材
１４  くさび部材
１６ａ  操作レバー
１７  第１のリンク杆
１７ａ  一端部
１７ｂ  他端部
１９  第２のリンク杆
１９ａ  円筒部
２２  スプリング（付勢部材）
【図１】
2006002340.tif 000003
【図２】
2006002340.tif 000004
【図３】
2006002340.tif 000005
【図４】
2006002340.tif 000006